(57)【要約】      （修正有）【課題】ペットの足指爪内に位置する血管を識別し、血管を除いた部位の足指爪を切断することができるペット用爪切りを提供する。【解決手段】ペット用爪切りは、弾性部材１１０を介して連結された一対の取っ手１００と、取っ手の端部一側にそれぞれ結合される一対の切断刃２００と、一対の取っ手のうちいずれかの取っ手の端部一面に備えられ、切断刃の方向に光を照射するＬＥＤモジュール３００とを含む。切断刃の方向に光を照射するＬＥＤによってペットの足指爪内に位置する血管を正確に識別することができ、血管を除いた部位の足指爪を切断することができる。また、取っ手の一面に備えられた研磨仕上げ部４００を回転させて切断直後の鋭い足指爪面をスムーズに仕上げることができる。【選択図】図１
0003222428.tif 000002
【実用新案登録請求の範囲】
【請求項１】
弾性部材（１１０）を介して連結された一対の取っ手（１００）と、
前記取っ手（１００）の端部一側にそれぞれ結合される一対の切断刃（２００）と、
前記一対の取っ手（１００）のうちいずれかの取っ手の端部一面に備えられ、切断刃（２００）の方向に光を照射するＬＥＤモジュール（３００）と、を含む、ＬＥＤを備えたペット用爪切り。
【請求項２】
前記一対の取っ手（１００）のうちいずれかの取っ手の中心部には、他の取っ手（１００）側に突出した突出部（１２０）が形成され、
他の取っ手（１００）の中心部には、前記突出部（１２０）を収容することができるように凹部（１３０）が形成されたことを特徴とする、請求項１に記載のＬＥＤを備えたペット用爪切り。
【請求項３】
前記突出部（１２０）には結合溝（１２１）が形成され、
前記凹部（１３０）は前記結合溝（１２１）に対応する位置に結合突起（１３１）を含み、前記結合突起（１３１）が前記結合溝（１２１）に挿入できる、請求項２に記載のＬＥＤを備えたペット用爪切り。
【請求項４】
前記一対の取っ手（１００）のうちいずれかの取っ手の端部他側には、他の取っ手（１００）側に延びた延長部（１４０）が形成され、
前記延長部（１４０）には固定溝（１４１）が形成され、
前記一対の取っ手（１００）のうちの他の取っ手の端部他側に形成された固定突起（１４２）に締結できることを特徴とする、請求項１に記載のＬＥＤを備えたペット用爪切り。
【請求項５】
前記ＬＥＤモジュール（３００）は、
切断刃（２００）の方向に発光するＬＥＤ光源（３１０）と、
前記ＬＥＤ光源（３１０）の一側に突設された突起部材（３２０）と、
前記一対の取っ手（１００）のうちいずれかの取っ手の端部一面に備えられた中空円筒状の胴体部材（３３０）と、を含み、
前記突起部材（３２０）は胴体部材（３３０）の内部に挿入されることを特徴とする、請求項１に記載のＬＥＤを備えたペット用爪切り。
【請求項６】
前記突起部材（３２０）は、外周に中心軸と平行な方向に設けられた複数の係止溝（３２１）をさらに含む、請求項５に記載のＬＥＤを備えたペット用爪切り。
【請求項７】
前記胴体部材（３３０）は、内周面に前記係止溝（３２１）に対応する形状に突設された複数の係止突起（３３１）を含む、請求項６に記載のＬＥＤを備えたペット用爪切り。
【請求項８】
前記係止突起（３３１）は、弾性材質からなり、前記突起部材（３２０）が前記胴体部材（３３０）の内部に挿入されて前記係止溝（３２１）に挿入される場合、前記係止突起（３３１）の弾性に対して一定以上の力を前記係止溝（３２１）に加える場合にのみ前記突起部材（３２０）が回転するようにすることにより、所望の角度でＬＥＤ光源（３１０）を調節することを特徴とする、請求項７に記載のＬＥＤを備えたペット用爪切り。
【請求項９】
前記一対の取っ手（１００）のうちいずれかの取っ手の端部一面に備えられ、ペットの足指爪を仕上げることができる研磨仕上げ部（４００）をさらに含み、
前記研磨仕上げ部（４００）は、
回転軸（４１１）を備える研磨部材（４１０）と、前記回転軸（４１１）を支持する回転軸支持部材（４２０）とを含み、
前記研磨部材（４１０）の一側面には凹孔（４１２）が設けられ、
前記凹孔（４１２）には研磨材（４１３）が設けられることを特徴とする、請求項１に記載のＬＥＤを備えたペット用爪切り。
【請求項１０】
前記一対の切断刃のうちいずれかの切断刃の一面に形成された足指爪収容部（５００）をさらに含み、
前記足指爪収容部（５００）は、
一対の取っ手（１００）のうちいずれかの取っ手の端部一面に形成され、一側が開放され、内部に空間部を備える収容部材（５１１）と、
前記収容部材（５１１）の一側に突起部材（３２０）を軸として回転可能な状態で収容部材（５１１）の開放された部分をカバーするための開閉部材（５１０）とを含むことを特徴とする、請求項１に記載のＬＥＤを備えたペット用爪切り。
【請求項１１】
前記開閉部材（５１０）は、内部に前記突起部材（３２０）が挿入される管状に設けられた軸孔（５１０ａ）と、前記軸孔（５１０ａ）の上部から外周面の一側に延びたつまみ（５１０ｂ）とを含む、請求項１０に記載のＬＥＤを備えたペット用爪切り。
【考案の詳細な説明】
【技術分野】
【０００１】
本考案は、ＬＥＤを備えたペット用爪切りに係り、より詳しくは、切断刃の方向に光を照射するＬＥＤによってペットの足指爪内に位置する血管を正確に識別することができるようにすることにより、血管を除いた部位の足指爪を切断することができるだけではなく、取っ手の一面に備えられた研磨仕上げ部を回転させて切断直後の鋭い足指爪面をスムーズに仕上げることができるＬＥＤを備えたペット用爪切りに関する。
【背景技術】
【０００２】
一般に、ペットの足指爪が一定の長さ以上に長くなれば、ペットによって主人が引っ掻かれる危険性があるから、周期的にハサミ又は爪切りでペットの足指爪を切ってやることになる。
【０００３】
従来技術によるペット用爪切りは、後端が互いに結合して先端が弾性的に広がっている状態を維持し、先端部に切断部が形成された一対の上下側板と、この上下側板の先端にそれぞれ穿孔された孔に垂直に回転可能に挿入される固定ピンと、この固定ピンの上端に形成された溝に差し込まれてテコの役割をする押圧レバーとからなっている。
【０００４】
したがって、ペットの足指爪を整理しようとする場合、前記上下側板の間にペットの足指爪を挿入し、押圧レバーを押せば、上下側板が互いに集められ、それぞれの切断部によって、挿入された長さの分だけの足指爪が切れることになる。
【０００５】
しかし、従来のペット用爪切りは、使用者が目分量で足指爪を切るから、足指爪内に位置する神経又は血管の位置を識別することができなく、間違いで足指爪内の血管又は神経を切って出血が発生する問題点が存在する。
【０００６】
また、従来のペット用爪切りは、ペットの足指爪を切断した後、足指爪の切断面が鋭くないようにスムーズに磨くための足指爪磨きが備えられていないため、ペットの鋭い足指爪によって使用者が負傷する状況が発生し得る問題点が存在する。
【先行技術文献】
【特許文献】
【０００７】
【特許文献１】韓国登録実用新案第２０−０３７６９７５号公報
【考案の概要】
【考案が解決しようとする課題】
【０００８】
本考案は、上述した問題点を解決するために提案されたもので、切断刃の方向に光を照射するＬＥＤによってペットの足指爪内に位置する血管を識別することができるようにすることで、血管を除いた部位の足指爪を切断することができるＬＥＤを備えたペット用爪切りを提供することを目的とする。
【０００９】
また、本考案は、取っ手の一面に備えられた研磨仕上げ部を回転させて切断直後の鋭い足指爪の面をスムーズに仕上げることができるＬＥＤを備えたペット用爪切りを提供することを他の目的とする。
【課題を解決するための手段】
【００１０】
上記の目的を達成するために、本考案のＬＥＤを備えたペット用爪切りは、弾性部材を介して連結された一対の取っ手と、前記取っ手の端部一側にそれぞれ結合される一対の切断刃と、前記一対の取っ手のうちいずれかの取っ手の端部一面に備えられ、切断刃の方向に光を照射するＬＥＤモジュールとを含む。
【００１１】
具体的に、前記一対の取っ手のうちいずれかの取っ手の中心部には、他の取っ手側に突出した突出部が形成され、他の取っ手の中心部には、前記突出部１２０を収容することができるように凹部が形成される。
【００１２】
また、前記突出部には結合溝が形成され、前記凹部は、前記結合溝に対応する位置に結合突起を含み、前記結合突起が前記結合溝に挿入されることができる。
【００１３】
そして、前記一対の取っ手のうちいずれかの取っ手の端部他側には、他の取っ手側に延びた延長部が形成され、前記延長部には固定溝が形成され、前記一対の取っ手のうち他の取っ手の端部他側に形成された固定突起に締結されることができる。
【００１４】
一方、前記切断刃は、一対の前記切断刃が当接する表面の一側に凹んでいる形状の湾曲部を含むことが好ましい。
【００１５】
また、前記ＬＥＤモジュールは、切断刃の方向に発光するＬＥＤ光源と、ＬＥＤ光源の一側に突設された突起部材と、一対の取っ手のうちいずれかの取っ手の端部一面に備えられた中空円筒状の胴体部材とを含み、前記突起部材は胴体部材の内部に挿入されることができる。
【００１６】
また、前記突起部材は、外周に中心軸と平行な方向に設けられた複数の係止溝をさらに含むことが好ましい。
【００１７】
また、前記胴体部材は、内周面に前記係止溝に対応する形状に突設された複数の係止突起を含むことが好ましい。
【００１８】
また、前記係止突起は、弾性材質からなり、前記突起部材が前記胴体部材の内部に挿入されて前記係止溝に挿入される場合、前記係止突起の弾性に対して一定以上の力を前記係止溝に加える場合にのみ前記突起部材が回転するようにすることにより、所望の角度でＬＥＤ光源を調節することを特徴とすることが好ましい。
【００１９】
また、本考案のＬＥＤを備えたペット用爪切りは、前記一対の取っ手のうちいずれかの取っ手の端部一面に備えられ、ペットの足指爪を仕上げることができる研磨仕上げ部をさらに含み、前記研磨仕上げ部は、回転軸を備える研磨部材と、前記回転軸を支持する回転軸支持部材とを含み、前記研磨部材の一側面には凹孔が設けられ、前記凹孔には研磨材が設けられることがさらに好ましい。
【００２０】
一方、本考案のＬＥＤを備えたペット用爪切りは、前記一対の切断刃のうちいずれかの切断刃の一面に形成された足指爪収容部をさらに含み、前記足指爪収容部は、一対の取っ手のうちいずれかの取っ手の端部一面に形成され、一側が開放され、内部に空間部を備える収容部材と、前記収容部材の一側に突起部材を軸として回転可能な状態で収容部材の開放された部分をカバーするための開閉部材とを含むことを特徴とすることが好ましい。
【００２１】
また、前記開閉部材は、内部に前記突起部材が挿入される管状に設けられた軸孔と、前記軸孔の上部から外周面の一側に延びたつまみとを含むことが好ましい。
【考案の効果】
【００２２】
本考案によるＬＥＤを備えたペット用爪切りは、切断刃の方向に光を照射するＬＥＤによってペットの足指爪内に位置する血管を識別することができるようにすることで、血管を除いた部位の足指爪を切断することができるようにし、これによってペットの足指爪の内部に位置する血管の損傷なしに安全に足指爪を仕上げることができる効果を有する。
【００２３】
また、本考案は、取っ手の一面に備えられた研磨仕上げ部を回転させて切断直後の鋭い足指爪の面をスムーズに仕上げることができ、ペットの鋭い足指爪によって生物体が負傷する状況を防止するだけではなく、ペットが足指爪で品物を損傷させることを防止することができる。
【００２４】
さらに、本考案は、ペットの足指爪を切断した直後に仕上げることができるので、使用者は爪切り以外に別途の仕上げ用具を備える必要がなくて便利な利点がある。
【図面の簡単な説明】
【００２５】
【図１】本考案によるＬＥＤを備えたペット用爪切りの正面図である。
【図２】本考案によるＬＥＤを備えたペット用爪切りの背面図である。
【図３】本考案によるＬＥＤモジュールを示す分解斜視図である。
【図４】本考案による研磨仕上げ部を示す分解斜視図である。
【図５】本考案によるＬＥＤを備えたペット用爪切りが広がった状態を示す斜視図である。
【図６】本考案の他の実施例によるＬＥＤを備えたペット用爪切りの正面図である。
【図７】本考案の他の実施例によるＬＥＤを備えたペット用爪切りの保管及び使用時の正面図である。
【考案を実施するための形態】
【００２６】
以下、本考案の好適な実施例に基づいて本考案を詳細に説明するに先立ち、この明細書及び請求範囲に使用された用語又は単語は通常的又は辞書的な意味に限定して解釈されてはいけなく、本考案の技術的思想に合う意味及び概念に解釈されなければならないことを明かしておく。
【００２７】
この明細書全般で、ある部材が他の部材の「上部に」位置すると言うとき、これはある部材が他の部材に接している場合だけではなく、両部材の間にさらに他の部材が存在する場合も含む。
【００２８】
この明細書全般で、ある部分がある構成要素を「含む」と言うとき、これは特に反対の記載がない限り、他の構成要素を除くものではなく、他の構成要素をさらに含むことができることを意味する。
【００２９】
「第１」、「第２」などの用語は一構成要素を他の構成要素と区別するためのもので、これらの用語によって権利範囲が限定されてはいけない。例えば、第１構成要素は第２構成要素と名付けられることができ、同様に第２構成要素も第１構成要素と名付けられることができる。
【００３０】
以下では、図面を参照して本考案のＬＥＤを備えたペット用爪切りについてより詳細に説明する。ここで、添付の図面は技術の構成及び作用についての説明及び理解の便宜及び明確性のために一部を誇張するか簡略化して示すもので、各構成要素が実際の大きさと正確に一致するものではない。
【００３１】
図１は本考案によるＬＥＤを備えたペット用爪切りの正面図である。
【００３２】
図１を参照すると、本考案によるＬＥＤを備えたペット用爪切り１０は、一対の取っ手１００、一対の切断刃２００、及びＬＥＤモジュール３００を含む。
【００３３】
一対の取っ手１００は弾性部材１１０を介して連結され、端部の一側にそれぞれ切断刃２００が結合される。一対の取っ手１００は使用者によって把持され、使用者は弾性部材１１０によって弾性的に広がっている状態の取っ手１００（図５参照）に力を加えて切断刃２００を噛み合わせることによってペットの足指爪を切ることができるようになる。
【００３４】
また、一対の取っ手１００のうちいずれかの取っ手の端部一面には、ＬＥＤモジュール３００及び研磨仕上げ部４００が備えられる。ここで、ＬＥＤモジュール３００及び研磨仕上げ部４００は、一対の取っ手１００のうちいずれかの取っ手の端部両面に備えられることが好ましいが、これに制限されるものではなく、一対の取っ手１００のうちいずれかの取っ手の端部一面にＬＥＤモジュール３００が備えられ、他の取っ手の端部他面に研磨仕上げ部４００が備えられることもできる。
【００３５】
一対の切断刃２００は、取っ手１００の端部一側にそれぞれ結合され、取っ手１００に加わる圧力によって互いに噛み合ってペットの足指爪を切断する役割をする。
【００３６】
ＬＥＤモジュール３００は、一対の取っ手１００のうちいずれかの取っ手の端部一面に備えられ、切断刃２００の方向に光を照射することにより、ペットの足指爪内にある血管を肉眼で識別することができるようにする。
【００３７】
ここで、ＬＥＤモジュール３００は、切断刃２００にできるだけ近くの位置に備えられることが好ましい。これにより、ペットの足指爪にできるだけ近くに位置する状態で光を照射することができるので、使用者が足指爪内にある血管を肉眼で正確に識別することができる。
【００３８】
研磨仕上げ部４００は、一対の取っ手１００のうちいずれかの取っ手の端部一面に備えられ、使用者によって回転して切断直後の鋭い足指爪面をスムーズに仕上げることができる。
【００３９】
一方、本考案に係るＬＥＤを備えたペット用爪切り１０は、一対の切断刃２００のうち一切断刃の一面に足指爪収容部５００をさらに含むことができる。
【００４０】
すなわち、足指爪収容部５００は、内部空間を備え、切断刃２００によって切断されたペットの足指爪を収容することができ、これにより足指爪を切断しているうちに足指爪が四方に飛び出すことを防止することができる。
【００４１】
ここで、足指爪収容部５００は、使用者が切断刃２００を見ながらペットの足指爪を切断することができるように、ポリエチレンテレフタレート（ＰＥＴ）、ポリプロピレン（ＰＰ）、ポリスチレン（ＰＳ）、シリコンゴムなどの透明な素材からなることが好ましい。
【００４２】
また、足指爪収容部５００の一側には中空円筒状の収容部材５１１が形成され、前記収容部材５１１の内部にＬＥＤモジュール３００（すなわち、図３の突起部材３２０）を挿入させ、足指爪収容部５００を一対の切断刃２００のうちいずれかの切断刃の一面に付着することができ、使用後には収容部材５１１とＬＥＤモジュール３００を分離することにより、内部空間に収容された足指爪を外部に排出することができるようになる。
【００４３】
図２は本考案によるＬＥＤを備えたペット用爪切りの背面図である。
【００４４】
図２を参照すると、一対の取っ手１００のうちいずれかの取っ手の中心部には他の取っ手１００側に突出した突出部１２０が形成され、他の取っ手１００の中心部には突出部１２０を収容するための凹部１３０が形成され、突出部１２０が凹部１３０に収容される。
【００４５】
前記突出部１２０によって使用者の手の平と取っ手１００が接触する面積が増加し、これにより、使用者が一対の取っ手１００を把持した後に力を加えるとき、取っ手１００から使用者の手が滑ることを防止することができる。
【００４６】
したがって、突出部１２０は軟質でありながら密着性があるシリコンのような素材から形成されることが好ましく、図２に示したように、突出部１２０の表面に複数の突起１２２をさらに備えて使用者の手が滑ることを追加的に防止することができる。
【００４７】
一方、突出部１２０には結合溝１２１が形成され、凹部１３０は結合溝１２１に対応する位置に結合突起１３１を含み、結合突起１３１が結合溝１２１に挿入できる。
【００４８】
すなわち、ＬＥＤを備えたペット用爪切り１０の使用を完了した後に保管しようとする場合には、一対の取っ手１００に力を加えた後、結合突起１３１を結合溝１２１に挿入させることによって固定することができる。
【００４９】
また、一対の取っ手１００のうちいずれかの取っ手の端部他側には他の取っ手１００側に延びた延長部１４０が形成され、延長部１４０には固定溝１４１が形成され、他の取っ手の端部他側に形成された固定突起１４２と締結されることができる。
【００５０】
このように、一対の取っ手１００が固定溝１４１及び固定突起１４２によって互いに締結固定されることによって一対の切断刃２００の刃部分が噛み合って外部に露出されない状態で固定され、よってＬＥＤを備えたペット用爪切り１０を安全に保管することができる。
【００５１】
また、図２に示したように、一対の切断刃２００は、切断刃２００が当接する表面の一側に凹んでいる形状の湾曲部２１０を含み、湾曲部２１０にペットの足指爪を挿入した後、取っ手１００に力を加えてペットの足指爪を切断することができる。
【００５２】
図３は本考案によるＬＥＤモジュールを示す分解斜視図である。
【００５３】
図３を参照すると、ＬＥＤモジュール３００は、ＬＥＤ光源３１０、突起部材３２０及び胴体部材３３０を含む。
【００５４】
ＬＥＤ光源３１０は、一側に突起部材３２０が形成され、切断刃２００の方向に発光してペットの足指爪に光を照射することにより、使用者がペットの足指爪内にある血管を肉眼で識別することができるようにする。
【００５５】
前記ＬＥＤ光源３１０は、突起部材３２０の内部に位置するバッテリー（図示せず）と電気的に連結されることができ、図面には示されていないが、手で押すことができるスイッチ、好ましくはトグルスイッチを含むことにより、スイッチのＯＮ／ＯＦＦ操作によってバッテリーから電気を受けることができる。
【００５６】
また、ＬＥＤ光源３１０は、使用者がペットの足指爪内にある血管を肉眼で識別することができるように白色ＬＥＤを使うことが最も好ましいが、これに制限されるものではなく、ＲＧＢのＬＥＤｓ又はレーザー光源も使うことができる。
【００５７】
突起部材３２０は、ＬＥＤ光源３１０の一側に突設されて胴体部材３３０の内部に挿入され、ＬＥＤ光源３１０が切断刃２００の方向に発光してペットの足指爪に光を照射することができるようにする。
【００５８】
詳細には、突起部材３２０は、収容部材５１１の内部に挿入されてから胴体部材３３０の内部に挿入されることによって足指爪収容部５００を一対の切断刃２００のうち一切断刃の一面に付着固定させることができる。
【００５９】
胴体部材３３０は、一対の取っ手１００のうちいずれかの取っ手の端部一面に備えられ、中空円筒状を有し、内部に突起部材３２０が挿入されてＬＥＤ光源３１０がペットの足指爪の方向に光を照射するように固定する役割をする。
【００６０】
一方、突起部材３２０は、外周に中心軸と平行な方向に形成された複数の係止溝３２１をさらに含み、胴体部材３３０の内周面には、前記係止溝３２１に対応する形状に突設された複数の係止突起３３１を含むことができる。
【００６１】
ここで、前記係止突起３３１は、弾性を有する素材からなることが好ましい。これは、突起部材３２０が胴体部材３３０の内部に挿入され、係止溝３２１に係止突起３３１が挿入される場合、係止突起３３１の弾性に対して一定の力以上の力を係止溝３２１に加える場合にのみ突起部材３２０が回転するようにすることにより、使用者が所望の角度にＬＥＤ光源３１０を調節して固定させることができるからである。
【００６２】
すなわち、ペットの足指爪内にある血管を肉眼で識別することができる最適の角度にＬＥＤ光源３１０を調節して固定させた後、血管を除いた部位の足指爪を切断することができるので、ペットの足指爪内に位置する血管の損傷を防止することができる。
【００６３】
また、ＬＥＤモジュール３００は、突起部材３２０が胴体部材３３０と着脱可能に構成されるので、ＬＥＤ光源３１０のバッテリーが消耗されるか、あるいは外部の圧力によってＬＥＤ光源３１０が毀損された場合、新しいＬＥＤモジュール３００に入れ替えることができる利点がある。
【００６４】
図４は本考案による研磨仕上げ部を示す分解斜視図である。
【００６５】
図４を参照すると、研磨仕上げ部４００は研磨部材４１０及び回転軸支持部材４２０を含み、研磨部材４１０の凹孔４１２に付着された研磨材４１３に足指爪面が密着した状態で研磨部材４１０が回転することによって切断直後の鋭い足指爪面をスムーズに磨く役割をする。
【００６６】
研磨部材４１０は円形を有し、一面に回転軸４１１を備えることにより使用者によって回転することができ、回転軸４１１は回転軸支持部材４２０によって支持される。
【００６７】
このような研磨部材４１０の他面には研磨材４１３が付着された凹孔４１２が形成され、使用者は凹孔４１２にペットの足指爪面を密着固定させた後、研磨部材４１０を回転させることによって足指爪をスムーズに仕上げることができる。
【００６８】
ここで、研磨材４１３は、ペットの鋭い足指爪面を仕上げることができるように、サンドペーパー、ダイヤモンド軸付砥石、セメント、石粉及びＣＢＮ（ｃｕｂｉｎ  Ｂｏｒｏｎ  Ｎｉｔｒｉｄｅ）などの素材からなることができるが、その他にもペットの足指爪を磨くことができる素材であればどの種類のものでも関係ない。
【００６９】
また、これを凹孔４１２に直接塗布することもでき、接着剤によって付着するか、締まりばめ方式又は係止突起を用いた方式、ネジなどの締結具を用いる方式などの公知の多様な方法で結合されるように構成することができるのはいうまでもない。
【００７０】
また、研磨部材４１０の外周面は鋸歯形に谷部４１４と山部４１５が形成されることにより、使用者が研磨部材４１０を容易に回転させることができる。
【００７１】
すなわち、切断直後の鋭い足指爪面を研磨部材４１０の凹孔４１２に密着固定させた状態で外周面を回転させれば、研磨材４１３と接触した足指爪面で発生する摩擦力によって鋭い足指爪面がスムーズに磨かれ、よってペットの鋭い足指爪によって生物体が負傷する状況を防止することができるだけではなく、ペットが足指爪で品物を損傷させることを防止することができる。
【００７２】
一方、回転軸支持部材４２０は、一対の取っ手１００のうちいずれかの取っ手の端部他面に備えられて研磨部材４１０の回転軸４１１を支持する。
【００７３】
前記回転軸支持部材４２０は、切断刃２００にできるだけ近くに備えられることが最も好ましい。これは、ペットの足指爪を切断した直後にペットの足指爪を仕上げるようにするためである。
【００７４】
前記研磨仕上げ部４００は、一対の取っ手１００のうちいずれかの取っ手の端部他面に着脱可能に構成され、研磨材４１３が摩耗されるか、あるいは外部の圧力によって研磨仕上げ部４００が毀損した場合に新しい研磨仕上げ部４００に入れ替えることができ、多様な研磨材料を含む研磨仕上げ部４００を入れ替えて交互に仕上げることができるので、迅速な仕上げ又は微細な仕上げなど、多様に実施することができる。
【００７５】
本考案によるＬＥＤを備えたペット用爪切り１０は、切断刃２００の方向に光を照射するＬＥＤモジュール３００によってペットの足指爪内に位置する血管を識別することができるようにして、血管を除いた部位の足指爪を切断することができるようにし、よってペットの足指爪内に位置する血管の損傷なしに安全に足指爪を仕上げることができる効果を有する。
【００７６】
また、本考案は、取っ手１００の一面に備えられた研磨仕上げ部４００を回転させて切断直後の鋭い足指爪面をスムーズに仕上げることができるので、ペットの鋭い足指爪によって生物体が負傷する状況を防止することができるだけではなく、ペットが足指爪で品物を損傷させることを防止することができる。
【００７７】
さらに、本考案は、ペットの足指爪を切断した直後に仕上げるようにするため、使用者が爪切り１０以外に別途の仕上げ用具を備える必要がなくて便利な利点がある。
【００７８】
図６は本考案の他の実施例によるＬＥＤを備えたペット用爪切りの正面図である。
【００７９】
図６を参照すると、本考案によるＬＥＤを備えたペット用爪切り２０は、一対の取っ手１００、一対の切断刃２００、ＬＥＤモジュール３００、研磨仕上げ部４００及び足指爪収容部５００を含む。ここで、前述した例と同一部分はその説明を省略し、他の部分のみ説明する。
【００８０】
図６に示したように、ＬＥＤを備えたペット用爪切り２０は、一対の取っ手１００のうちいずれかの取っ手の端部一面にはＬＥＤモジュール３００が備えられ、他の取っ手の端部他面には研磨仕上げ部４００が備えられることができる。
【００８１】
また、足指爪収容部５００は、一対の切断刃２００のうちいずれかの切断刃の一面に付着され、切断刃２００によって切断されたペットの足指爪を収容することができ、これにより足指爪を切断しているうちに足指爪が四方に飛び出すことを防止することができる。
【００８２】
前記足指爪収容部５００は、一対の取っ手１００のうちいずれかの取っ手の端部一面に形成され、一側が開放され、内部に空間部を備える収容部材５１１、及び前記収容部材５１１の一側に突起部材３２０を軸として回転可能な状態で収容部材５１１の開放された部分をカバーするための開閉部材５１０からなる。
【００８３】
このような足指爪収容部５００の外部面には複数のホール５２０が形成されることにより、内部空間に収容された足指爪をホール５２０を通して外部に排出することができる。
【００８４】
また、図４に示したように、開閉部材５１０は、軸孔５１０ａ及びつまみ５１０ｂを含む。
【００８５】
軸孔５１０ａは、内部に突起部材３２０が挿入される管状に設けられる。ここで、軸孔５１０ａは、一側が胴体部材３３０に挿入され、他側が露出して他側に突起部材３２０が挿入される。
【００８６】
この際、軸孔５１０ａは、胴体部材３３０の垂直な軸を中心に回転し、突起部材３２０は、軸孔５１０ａ及び胴体部材３３０の同じ垂直な軸を中心に回転する。
【００８７】
つまみ５１０ｂは、軸孔５１０ａの上部から外周面の一側に延びたもので、軸孔５１０ａを一方向に回転させるときにユーザーが一方向に押し出すことができるように設けられることが好ましい。
【００８８】
図７はＬＥＤを備えたペット用爪切り２０の取っ手１００の保管及び使用時の正面図であり、下端部に形成される延長部１４０が内部の回転軸（図示せず）によって回転するので、使わずに保管するときには固定突起１４２が固定溝１４１にかかって固定され、使うときには延長部１４０を反対側に回転させることにより、使用時に固定突起又は固定溝によって取っ手が固定されるかかかる問題を防止することができる。
【符号の説明】
【００８９】
１０、２０    ＬＥＤを備えたペット用爪切り
１００    取っ手
１１０    弾性部材
１２０    突出部
１２１    結合溝
１２２    突起
１３０    凹部
１３１    結合突起
１４０    延長部
１４１    固定溝
１４２    固定突起
２００    切断刃
２１０    湾曲部
３００    ＬＥＤモジュール
３１０    ＬＥＤ光源
３２０    突起部材
３２１    係止溝
３３０    胴体部材
３３１    係止突起
４００    研磨仕上げ部
４１０    研磨部材
４１１    回転軸
４１２    凹孔
４１３    研磨材
４１４    谷部
４１５    山部
４２０    回転軸支持部材
５００    足指爪収容部
５１０    開閉部材
５１０ａ    軸孔
５１０ｂ    つまみ
５１１    収容部材
５２０    ホール
【図１】
0003222428.tif 000003
【図２】
0003222428.tif 000004
【図３】
0003222428.tif 000005
【図４】
0003222428.tif 000006
【図５】
0003222428.tif 000007
【図６】
0003222428.tif 000008
【図７】
0003222428.tif 000009
【手続補正書】
【提出日】令和1年5月28日(2019.5.28)
【手続補正１】
【補正対象書類名】実用新案登録請求の範囲
【補正対象項目名】全文
【補正方法】変更
【補正の内容】
【実用新案登録請求の範囲】
【請求項１】
弾性部材（１１０）を介して連結された一対の取っ手（１００）と、
前記取っ手（１００）の端部一側にそれぞれ結合される一対の切断刃（２００）と、
前記一対の取っ手（１００）のうちいずれかの取っ手の端部一面に備えられ、切断刃（２００）の方向に光を照射するＬＥＤモジュール（３００）と、を含む、ＬＥＤを備えたペット用爪切り。
【請求項２】
前記一対の取っ手（１００）のうちいずれかの取っ手の中心部には、他の取っ手（１００）側に突出した突出部（１２０）が形成され、
他の取っ手（１００）の中心部には、前記突出部（１２０）を収容することができるように凹部（１３０）が形成されたことを特徴とする、請求項１に記載のＬＥＤを備えたペット用爪切り。
【請求項３】
前記突出部（１２０）には結合溝（１２１）が形成され、
前記凹部（１３０）は前記結合溝（１２１）に対応する位置に結合突起（１３１）を含み、前記結合突起（１３１）が前記結合溝（１２１）に挿入できる、請求項２に記載のＬＥＤを備えたペット用爪切り。
【請求項４】
前記一対の取っ手（１００）のうちいずれかの取っ手の端部他側には、他の取っ手（１００）側に延びた延長部（１４０）が形成され、
前記延長部（１４０）には固定溝（１４１）が形成され、
前記一対の取っ手（１００）のうちの他の取っ手の端部他側に形成された固定突起（１４２）に締結できることを特徴とする、請求項１に記載のＬＥＤを備えたペット用爪切り。
【請求項５】
前記ＬＥＤモジュール（３００）は、
切断刃（２００）の方向に発光するＬＥＤ光源（３１０）と、
前記ＬＥＤ光源（３１０）の一側に突設された突起部材（３２０）と、
前記一対の取っ手（１００）のうちいずれかの取っ手の端部一面に備えられた中空円筒状の胴体部材（３３０）と、を含み、
前記突起部材（３２０）は胴体部材（３３０）の内部に挿入されることを特徴とする、請求項１に記載のＬＥＤを備えたペット用爪切り。
【請求項６】
前記突起部材（３２０）は、外周に中心軸と平行な方向に設けられた複数の係止溝（３２１）をさらに含む、請求項５に記載のＬＥＤを備えたペット用爪切り。
【請求項７】
前記胴体部材（３３０）は、内周面に前記係止溝（３２１）に対応する形状に突設された複数の係止突起（３３１）を含む、請求項６に記載のＬＥＤを備えたペット用爪切り。
【請求項８】
前記係止突起（３３１）は、弾性材質からなり、前記突起部材（３２０）が前記胴体部材（３３０）の内部に挿入されて前記係止溝（３２１）に挿入される場合、前記係止突起（３３１）の弾性に対して一定以上の力を前記係止溝（３２１）に加える場合にのみ前記突起部材（３２０）が回転するようにすることにより、所望の角度でＬＥＤ光源（３１０）を調節することを特徴とする、請求項７に記載のＬＥＤを備えたペット用爪切り。
【請求項９】
前記一対の取っ手（１００）のうちいずれかの取っ手の端部一面に備えられ、ペットの足指爪を仕上げることができる研磨仕上げ部（４００）をさらに含み、
前記研磨仕上げ部（４００）は、
回転軸（４１１）を備える研磨部材（４１０）と、前記回転軸（４１１）を支持する回転軸支持部材（４２０）とを含み、
前記研磨部材（４１０）の一側面には凹孔（４１２）が設けられ、
前記凹孔（４１２）には研磨材（４１３）が設けられることを特徴とする、請求項１に記載のＬＥＤを備えたペット用爪切り。
【請求項１０】
前記一対の切断刃のうちいずれかの切断刃の一面に形成された足指爪収容部（５００）をさらに含み、
前記足指爪収容部（５００）は、
一対の取っ手（１００）のうちいずれかの取っ手の端部一面に形成され、一側が開放され、内部に空間部を備える収容部材（５１１）と、
前記収容部材（５１１）の一側に突起部材（３２０）を軸として回転可能な状態で収容部材（５１１）の開放された部分をカバーするための開閉部材（５１０）とを含むことを特徴とする、請求項５に記載のＬＥＤを備えたペット用爪切り。
【請求項１１】
前記開閉部材（５１０）は、内部に前記突起部材（３２０）が挿入される管状に設けられた軸孔（５１０ａ）と、前記軸孔（５１０ａ）の上部から外周面の一側に延びたつまみ（５１０ｂ）とを含む、請求項１０に記載のＬＥＤを備えたペット用爪切り。